(57)【要約】【課題】蓄光可能であり、且つ蓄光性の低下を抑制可能な床材を提供することである。【解決手段】基材２の表面に化粧シート４を設けてなる床材１において、化粧シート４は樹脂層３を介して基材２に接着されており、樹脂層３は蓄光剤５を含有するものであり、化粧シート４の表面には溝部６が設けられており、溝部６は光透過性を有している。蓄光剤５は、太陽光（自然光）や照明等の光（人工光）を蓄えて発光するものである。蓄光剤５は、硫化物や酸化物で構成されることが好ましい。【選択図】図１
2012001945.tif 000002
【特許請求の範囲】
【請求項１】
基材の表面に化粧シートを設けてなる床材において、前記化粧シートは樹脂層を介して前記基材に接着されており、前記樹脂層は蓄光剤を含有するものであり、化粧シートの表面には溝部が設けられており、前記溝部は光透過性を有していることを特徴とする床材。
【発明の詳細な説明】
【技術分野】
【０００１】
本発明は、床材に関し、さらに詳細には、蓄光可能であり、且つ蓄光性の低下を抑制可能な床材に関する。
【背景技術】
【０００２】
育児用施設や病院、介護施設の床材として、木質床材が利用されている。木質床材には、１枚の木で構成された単層フローリングと呼ばれるものや、合板等の基材に化粧板を貼付した複合フローリングと呼ばれるもの等がある。複合フローリングは、単層フローリングに比べて安価であり、高品質の製品を大量生産できるという優れた特徴を有している。特許文献１には、基材の上に化粧シートが貼付され、木質系フローリング材と同等の意匠性を有した床材が開示されている。
【０００３】
ところで、育児用施設や病院、介護施設には誘導灯が設置されていることが多い。誘導灯は、消灯時や停電時において誘導の目印となる。また、誘導灯のほかに、床材等に貼付する蓄光テープも利用されている。蓄光テープは、明るい間に光を溜めておき、暗くなると発光する。誘導灯や蓄光テープは、利用者に安心感を与える。
【先行技術文献】
【特許文献】
【０００４】
【特許文献１】特開２００３−２００４０５号公報
【発明の概要】
【発明が解決しようとする課題】
【０００５】
ところが、多くの利用者が出入りする育児用施設や病院、介護施設においては、床材の上に貼付された蓄光テープは、汚れたり、剥がれたりすることがある。汚れたり、剥がれたりした蓄光テープは、蓄光性が低下し、誘導することができない。このため、蓄光テープの張り替えを頻繁に行う必要があり、煩わしく、手間である。
【０００６】
そこで、本発明は、蓄光可能であり、且つ蓄光性の低下を抑制可能な床材の提供を目的とする。
【課題を解決するための手段】
【０００７】
上記課題を解決するための請求項１に記載の発明は、基材の表面に化粧シートを設けてなる床材において、前記化粧シートは樹脂層を介して前記基材に接着されており、前記樹脂層は蓄光剤を含有するものであり、化粧シートの表面には溝部が設けられており、前記溝部は光透過性を有していることを特徴とする床材である。
【０００８】
光透過性を有した溝部は、太陽光（自然光）や照明等の光（人工光）を透過可能である。すなわち、前記溝部を透過した光は、溝部の下側に位置する樹脂層に到達する。蓄光剤を含有した樹脂層においては、到達した光を蓄えることが可能である。自然光や人工光の照射がなくなった後、蓄光剤は蓄えた光を放出する。このことにより、溝部が発光する。
【０００９】
また、溝部は、深さを有するものであり、化粧シートの表面よりも下がった部位である。つまり、溝部は、化粧シート上を利用者が通過しても、摩耗し難い。このことにより、溝部の下側に位置する樹脂層は摩耗しない。すなわち、摩耗によって樹脂層が蓄光しなくなることがない。
【発明の効果】
【００１０】
本発明の床材によれば、蓄光可能であり、且つ蓄光性の低下を抑制可能である。
【図面の簡単な説明】
【００１１】
【図１】本発明の実施形態に係る床材の積層構造を示す断面図である。
【発明を実施するための形態】
【００１２】
以下では、本発明の床材の実施形態について、図面を参照しながら詳細に説明する。なお、以下の説明は、実施形態の理解を容易にするためのものであり、これによって、本発明が制限して理解されるべきではない。
【００１３】
図１に示すように、床材１は、基材２と、樹脂層３と、化粧シート４とを有し、この順に積層されている。なお、図１の断面図においては、床材１の積層構造の理解を容易にするため、ハッチングを省略している。
【００１４】
基材２は、合板で形成されており、図示しない単板が複数積層されている。
【００１５】
樹脂層３は、接着剤から形成されている。樹脂層に用いられる接着剤としては、酢酸ビニル系樹脂、変成ゴム系樹脂、メラミン系樹脂、ポリウレタン系樹脂等や、これらの混合樹脂が挙げられる。なお、接着剤は、溶剤等で希釈したものであることが好ましい。
【００１６】
樹脂層３は、蓄光剤５を含有している。蓄光剤５は、太陽光（自然光）や照明等の光（人工光）を蓄えて発光するものである。蓄光剤５は、硫化物や酸化物で構成されることが好ましい。
【００１７】
化粧シート４は、フィルム状のシートである。化粧シート４は、塩化ビニル樹脂等で構成されることが好ましいが、木質の突板で形成されてもよい。
【００１８】
化粧シート４は、溝部６を有している。この場合、溝部６は、凹部である。溝部６における化粧シート４の厚さＴ１は、化粧シート４の厚みＴ２に比べて非常に薄い。このため、溝部６は光透過性を有している。
【００１９】
図１において、基材２の上には、樹脂層３が位置している。樹脂層３の上には、化粧シート４が位置している。溝部６は、樹脂層３の上に位置している。溝部６は、化粧シート４の上側に向かって開放されている。
【００２０】
本発明の実施形態に係る床材１では、樹脂層３の上に、溝部６が位置している。樹脂層３は蓄光剤５を含有し、溝部６は光透過性を有している。このことにより、化粧シート４の上側から太陽光や照明等の光が照射された場合、前記の光は、光透過性を有した溝部６を透過し、樹脂層３に到達する。樹脂層３に到達した光は、樹脂層３に含有された蓄光剤５に吸収され蓄えられる。太陽光や照明等の光の照射が終わると、蓄光剤５は蓄えた光を放出する。つまり、溝部６が発光する。すなわち、消灯時や停電時において、溝部６を発光させることができる。
【００２１】
また、本発明の実施形態に係る床材１では、溝部６における化粧シート４の厚さＴ１は、化粧シート４の厚みＴ２に比べて非常に薄い。換言すれば、溝部６は、厚みＴ２から厚みＴ１を差し引いた深さを有する。すなわち、溝部６は、化粧シート４の表面よりも下がった部位である。このことにより、溝部６は、化粧シート４上を利用者が通過しても、摩耗し難い。つまり、溝部６の下側に位置する樹脂層３は摩耗しない。よって、摩耗によって樹脂層３が蓄光しなくなることがない。しかも、この場合、溝部６の底部分に化粧シート４が薄肉（厚さＴ１）で存在するため、樹脂層３が保護されてその劣化が防止される。
【００２２】
なお、溝部６における化粧シート４の厚さＴ１は、０以下であってもよいものである。つまり、溝部６の底部が樹脂層３に到達していてもよいものである。また、溝部６の底部が樹脂層３を貫通して基材２に到達していてもよいものである。このような場合、溝部６を断面略Ｖ字状の溝として形成することで、この断面略Ｖ字状の溝内側面で樹脂層３が表面側へ斜めに向けて大きく現出し、発光効果が向上される。
【００２３】
前述のように本発明の実施形態に係る床材１は、蓄光可能であり、且つ蓄光性の低下を抑制できる。
【符号の説明】
【００２４】
１    床材
２    基材
３    樹脂層
４    化粧シート
５    蓄光剤
６    溝部
【図１】
2012001945.tif 000003